(57)【特許請求の範囲】
【請求項１】
矩形の磁力線減衰板と、該磁力線減衰板の表裏面に形成される矩形の第１、及び第２の磁力線遮蔽部と、を備え、
前記第１の磁力線遮蔽部の一方の幅は前記磁力線減衰板の一方の幅よりも短く構成し、且つ前記第１の磁力線遮蔽部の両端部側に略同等の前記磁力線減衰板が表れるように配置し、前記第２の磁力線遮蔽部の一方の幅は前記磁力線減衰板の他方の幅よりも短く構成し、且つ前記第２の磁力線遮蔽部の両端部側に略同等の前記磁力線減衰板が表れるように配置したことを特徴とするシールドシート。
【請求項２】
前記第１の磁力線遮蔽部の一方の幅は前記磁力線減衰板の一方の幅内に納まり、前記第１の磁力線遮蔽部の他方の幅は前記磁力線減衰板の他方の幅と同等であり、
前記第２の磁力線遮蔽部の一方の幅は前記磁力線減衰板の他方の幅内に納まり、前記第２の磁力線遮蔽部の他方の幅は前記磁力線減衰板の一方の幅と同等であることを特徴とする請求項１に記載のシールドシート。
【請求項３】
前記磁力線減衰板の表裏面と直交する方向から見て、前記第１、及び第２磁力線遮蔽部の交差する各辺同士が同士が互いに直交するように配置されていることを特徴とする請求項１または２に記載のシールドシート。
【請求項４】
前記第１の磁力線遮蔽部の一方の幅の中心部と、前記磁力線減衰板の一方の幅の中心部とが一致し、
前記第２の磁力線遮蔽部の他方の幅の中心部と、前記磁力線減衰板の一方の幅の中心部とが一致していることを特徴とする請求項１乃至３の何れか一項に記載のシールドシート。
【請求項５】
前記磁力線減衰板は、銅、鉄若しくはアルミニュウムにより構成されていることを特徴とする請求項１乃至４の何れか一項に記載のシールドシート。
【請求項６】
２枚の非接触型情報記録媒体を重ねて収納する収納ケースであって、請求項１乃至５の何れか一項に記載のシールドシートと、前記非接触型情報記録媒体を夫々１枚ずつ収納する２つの収納部と、を備え、
前記２つの収納部は前記シールドシートにより分離されていることを特徴とする収納ケース。
【請求項７】
請求項６に記載の収納ケースに収納した２枚の非接触型情報記録媒体に対する情報の読み書きをリーダライタにより行う場合、前記２枚の非接触型情報記録媒体の何れか一方の面を前記リーダライタのアンテナ部に近接することにより、当該面に対する情報の読み書きが行われることを特徴とするリーダライタ。
【発明の詳細な説明】
【技術分野】
【０００１】
本発明は、シールドシート、収納ケース及びリーダライタに関し、さらに詳しくは、ＩＣカード等の非接触型情報記録媒体を複数枚重ねた状態で、各記録媒体に対する読み書きを正確に行うことを可能にする技術に関するものである。
【背景技術】
【０００２】
近年、ＩＣカードと呼ばれる非接触型情報記録媒体が、市場に広く出回っている。ＩＣカードは、クレジットカード、銀行カード、ポイントカード等のカード状あるいはシート状の形状を備え、カード内にＩＣチップが組み込まれているものを総称した名称である。最近では、ＩＣカード対応の自動改札機の普及に伴い、一部の利用者においては複数のＩＣカードを定期入れやパスケース等に入れて所持している場面が増加している。例えば、ＩＣカードに対応した自動改札機の利用例として、関東圏ではＳｕｉｃａを、関西圏ではＩＣＯＣＡを利用する人の場合、夫々の自動改札機を通過する際にその都度、ＩＣカードを定期入れやパスケースから取り出さなければならず煩わしかった。また誤って２枚のＩＣカードを重ねた状態で利用すれば、読取りエラー（または処理エラー）となってしまう。
【０００３】
図９は不適切なフェライト材の配置による磁力線の動作を説明する図である。アンテナ部１０９から放射された磁力線１１６はＩＣカードＢ２００ｂに備えられた図示しないアンテナ２０（図２参照）を貫通して磁力線１１６ａ、１１６ｂとしてフェライト材１１２ｄを通過する。フェライト材１１２ｄは磁性体で構成されているので、殆ど磁力線１１６ａ、１１６ｂは減衰しないで通過する。しかし、フェライト材１１２ｄとシールド材１１１は形状が同じなので、フェライト材１１２ｄを通過した磁力線１１６ａ、１１６ｂはフェライト材１１２ｄの端縁から放射して、シールド材１１１により遮蔽されることなく、表面のフェライト材１１２ｃを殆ど減衰されることなく通過してＩＣカードＡ２００ａに備えられた図示しないアンテナ２０を貫通する。その結果、アンテナ部１０９から放射された磁力線はＩＣカードＢ２００ｂとＩＣカードＡ２００ａに備えられた図示しないアンテナ２０の両方を貫通するので、ＩＣカードＢ２００ｂとリーダライタ１００との交信が不安定となり、読み取りエラーが発生する虞がある。
【０００４】
これらの課題を解決するために特許文献１では、図７に示すように、導電体１３０の表裏面に磁性体１３１ａと１３１ｂを取り付け、導電体１３０の面積よりも磁性体１３１ａ、１３１ｂの面積を小さく構成し、且つ磁性体１３１ａ、１３１ｂの全端縁が導電体１３０の全端縁の内側にくるように配置している。この構成により、表裏面の磁性体の端縁から放射する磁力線が導電体１３０により遮蔽されるようになる。
また、特許文献２では、図８に示すように、導電体１４０の表裏面に磁性体１４１ａと１４１ｂを取り付け、且つ磁性体１４１ａ、１４１ｂが特にＡ部での各磁性体の端縁が重複しないように構成している。この構成により、表裏面の磁性体の端縁（特にＡ部）から放射する磁力線が導電体１４０により遮蔽されるようになる。
【特許文献１】特許第３８７２４９６号公報
【特許文献２】特開２００６−３１４５５６公報
【発明の開示】
【発明が解決しようとする課題】
【０００５】
しかしながら、特許文献１に開示されている従来技術は、磁性体１３１ａ、１３１ｂの全端縁が導電体１３０の全端縁の内側にくるように配置しなければならず、位置合わせが煩わしいといった問題がある。
また、特許文献２に開示されている従来技術は、図８のＡ部に示す部分からの磁性体間での磁力線の通過を完全に防ぐことはできないといった問題と、磁性体の面積が少ないので、磁力線を効率よくＩＣカードに通過させることができないといった問題がある。
本発明は、かかる課題に鑑み、磁力線減衰板（シールド板）より形状が小さい磁力線遮蔽層（磁性材）をシールド板の表裏面に直交するように配置することにより、磁性材の端縁から放射される磁力線をシールド板により遮蔽して、複数のＩＣカードを重ねて使用することが可能な技術を提供することを目的とする。
【課題を解決するための手段】
【０００６】
本発明はかかる課題を解決するために、請求項１は、矩形の磁力線減衰板と、該磁力線減衰板の表裏面に形成される矩形の第１、及び第２の磁力線遮蔽部と、を備え、前記第１の磁力線遮蔽部の一方の幅は前記磁力線減衰板の一方の幅よりも短く構成し、且つ前記第１の磁力線遮蔽部の両端部側に略同等の前記磁力線減衰板が表れるように配置し、前記第２の磁力線遮蔽部の一方の幅は前記磁力線減衰板の他方の幅よりも短く構成し、且つ前記第２の磁力線遮蔽部の両端部側に略同等の前記磁力線減衰板が表れるように配置したことを特徴とする。
請求項２は、前記第１の磁力線遮蔽部の一方の幅は前記磁力線減衰板の一方の幅内に納まり、前記第１の磁力線遮蔽部の他方の幅は前記磁力線減衰板の他方の幅と同等であり、前記第２の磁力線遮蔽部の一方の幅は前記磁力線減衰板の他方の幅内に納まり、前記第２の磁力線遮蔽部の他方の幅は前記磁力線減衰板の一方の幅と同等であることを特徴とする。
請求項３は、前記磁力線減衰板の表裏面と直交する方向から見て、前記第１、及び第２磁力線遮蔽部の交差する各辺同士が同士が互いに直交するように配置されていることを特徴とする。
【０００７】
請求項４は、前記第１の磁力線遮蔽部の一方の幅の中心部と、前記磁力線減衰板の一方の幅の中心部とが一致し、前記第２の磁力線遮蔽部の他方の幅の中心部と、前記磁力線減衰板の一方の幅の中心部とが一致していることを特徴とする。
【０００８】
請求項５は、前記磁力線減衰板は、銅、鉄若しくはアルミニュウムにより構成されていることを特徴とする。
【００１０】
請求項６は、２枚の非接触型情報記録媒体を重ねて収納する収納ケースであって、請求項１乃至５の何れか一項に記載のシールドシートと、前記非接触型情報記録媒体を夫々１枚ずつ収納する２つの収納部と、を備え、前記２つの収納部は前記シールドシートにより分離されていることを特徴とする。
【００１１】
請求項７は、請求項６に記載の収納ケースに収納した２枚の非接触型情報記録媒体に対する情報の読み書きをリーダライタにより行う場合、前記２枚の非接触型情報記録媒体の何れか一方の面を前記リーダライタのアンテナ部に近接することにより、当該面に対する情報の読み書きが行われることを特徴とする。
【発明の効果】
【００１２】
本発明によれば、第１の磁力線遮蔽部の一方の幅は磁力線減衰板の一方の幅よりも短く、第２の磁力線遮蔽部の一方の幅は磁力線減衰板の他方の幅よりも短くしたので、各磁力線遮蔽部の端縁から放射する不要な磁力線を遮蔽することができる。
【００１３】
また、第１の磁力線遮蔽部の一方の幅の中心部と、磁力線減衰板の一方の幅の中心部とが一致し、第２の磁力線遮蔽部の他方の幅の中心部と、磁力線減衰板の一方の幅の中心部とが一致するように磁力線遮蔽部を配置するので、非接触型情報記録媒体の収納する向きを気にせず収納することができる。
また、磁力線減衰板の材料としては銅、鉄若しくはアルミニュウム、又は反磁性材料を使用するので、比較的安価で且つ磁力線の減衰効果を高めることができる。
また、第１、及び第２の磁力線遮蔽部は透磁率が高く且つ磁力線の損失が少ない材質により構成するので、磁力線遮蔽効果を高めると共に、電波を効率よく供給することができる。
また、２枚の非接触型情報記録媒体の間に本発明のシールドシートを介在させるので、同じ収納ケースに２枚の非接触型情報記録媒体を重ねて収納しても読み取りエラーをなくすことができる。
また、本発明の収納ケースに２枚の非接触型情報記録媒体を収納した場合、動作させる方の非接触型情報記録媒体をアンテナ部に近接するので、明らかに使用する非接触型情報記録媒体の向きを間違えることを防止することができる。
【発明を実施するための最良の形態】
【００１４】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、一般的なＩＣカード用リーダライタの構成を示すブロック図である。このＩＣカード用リーダライタ（以下、単にリーダライタと呼ぶ）１００は、リーダライタ１００との間でデータの授受を行ってシステム全体を制御するＰＣ５０によって制御される。リーダライタ１００は、外部のＰＣ５０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＩＣカードとの電力用搬送波とデータの授受をするループアンテナ９とを備えて構成されている。
【００１５】
図２は、ＩＣカードの構成を示すブロック図である。本実施形態のＩＣカード２００は、リーダライタ１００からの電力用搬送波によりデータの授受をするアンテナ２０と、書き込みコマンド読み出しコマンドを生成する送受信回路２１と、アンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＩＣカード２００の全体の動作を制御する制御回路２６から構成されている。
【００１６】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＩＣカード２００に供給する電力供給用信号と、ポーリング信号を交互に電力増幅器７から送信する。その信号は、ループアンテナ９から電磁波として外部に放射される。次に、ＩＣカード２００がリーダライタ１００に近接すると、アンテナ２０が電力供給用信号を受信し、電力生成回路２２によりその搬送波を整流して直流電力に変換して、ＩＣカード２００内の全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してアンテナ２０から送信する。このレスポンスをリーダライタ１００がループアンテナ９で受信して、検波復調器８で２値化コードに変換し、制御回路２により解析してＩＣカード２００が規格に合致したＩＣカードであると認識する。それにより、以後リーダライタ１００とＩＣカード２００の間でポーリングが行われる。
【００１７】
図３は本発明の実施形態に係るシールドシートの構成を示す図である。図３（ａ）は表面（平面）図であり、図３（ｂ）はＡ視側面図、図３（ｃ）はＢ視側面図、図３（ｄ）は裏面図である。尚、ここでは便宜上図３（ａ）を表面、図３（ｄ）を裏面としているが、どちらでも構わない。このシールドシート１０は、銅、鉄又はアルミニュウム等の完全導体又は反磁性体からなるシールド材（磁力線減衰板）１１と、シールド材１１の表裏に夫々取り付けられるフェライトコア等の磁性材料からなるフェライト材（磁力線遮蔽層）１２、１３と、を備え、フェライト材１２、１３はシールド材１１よりも面積が小さく、必ずシールド材１１の内側にそれぞれのフェライト材の端縁１２ａ、１２ｂ及び１３ａ、１３ｂが収まるように配置され、フェライト材１２、１３の他方の端縁はシールド材１１の他方の幅と同等で、フェライト材１２、１３が直交するように配置される。つまり、フェライト材１２の外周端縁１２ａ、１２ｂは、シールド材１１の外周端縁１１ａ、１１ｂよりも外側に突出することがなく、必ずシールド材１１の外周端縁１１ａ、１１ｂの内側になるように構成される。また、フェライト材１３の外周端縁１３ａ、１３ｂは、シールド材１１の外周端縁１１ｃ、１１ｄよりも外側に突出することがなく、必ずシールド材１１の外周端縁１１ｃ、１１ｄの内側になるように構成される。
【００１８】
この実施形態では、矩形板状のフェライト材１２の面積Ｓ１と、矩形板状のシールド材１１の面積Ｓ２をＳ１＜Ｓ２の関係を保つように構成する一方で、矩形板状のフェライト材１３の面積Ｓ３と、矩形板状のシールド材１１の面積Ｓ２をＳ１＜Ｓ３の関係を保つように構成する。そして、シールド材１１の表裏面に取り付けたフェライト材１２の端縁１２ａ、１２ｂとフェライト材１３の端縁１３ａ、１３ｂが直交するように配置する。
即ち、シールド材１１は、電磁誘導を遮断する機能を備えており、例えば銅板や鉄板やアルミニュウム等の完全導体又は反磁性体である。またフェライト材１２、１３は磁力線が減衰しない材料であり、フェライトコア等の磁性材料を含む。本発明で最も重要なことは、シールド材１１の端縁から各フェライト材１２、１３の端縁が重ならないようにすることである。そこで本実施形態では、各フェライト材１２（一方）、１３（他方）の対向する２辺の端縁１２ａ（一方）、１２ｂ（一方）及び１３ａ（一方）、１３ｂ（一方）がシールド材１１の対向する２辺の端縁１１ａ（一方）、１１ｂ（一方）及び１１ｃ（他方）、１１ｄ（他方）の内側に収まるように夫々構成され、フェライト材１２、１３の他方の端縁はシールド材１１の他方の幅と同等で、平面視でフェライト材１２、１３が直交するように配置される。これにより、表裏の各フェライト材１２、１３の端縁の間にシールド材１１が必ず位置するので、各フェライト材１２、１３の端縁から放射する不要な磁力線を遮蔽することができる。
【００１９】
図４（ａ）はパスケース（詳細は後述する）に収納した２枚のＩＣカードをＩＣカード読み取り部に近接した場合の動作を説明する断面図である。この実施形態では、パスケース（収納ケース）１５は２枚のＩＣカードＡ２００ａとＩＣカードＢ２００ｂを重ねて収納するパスケースであって、図３で説明したシールドシート１０と、ＩＣカードＡ２００ａとＩＣカードＢ２００ｂを夫々１枚ずつ収納する２つの収納部１７、１８と、を備え、２つの収納部１７、１８はシールドシート１０により分離されている。このパスケース１５をリーダライタ１００のアンテナ部９に近接すると、例えば図４（ａ）の場合は、ＩＣカードＢ２００ｂがパスケース１５の収納部１８に収納されているので、アンテナ９から放射された磁力線１６によりＩＣカードＢ２００ｂに備えられたアンテナ２０によりリーダライタ１００と交信が可能となる。このときＩＣカードＡ２００ａはシールドシート１０により磁力線１６が遮断されてリーダライタ１００と交信が不可能となる（詳細は後述する）。
【００２０】
図４（ｂ）はパスケースを正面から見た図である（ＩＣカードが収納されていない場合）。図４（ａ）と同じ構成要素には図３と同じ参照番号を付して説明する。パスケース１５は正面に収納部１７、１８の開口１７ａ、１８ａがあり、１７ａ、１８ａはシールドシート１０により仕切られている。このシールドシート１０は、シールド材１１の両面にフェライト材１２、１３が取り付けられている。尚、パスケース１５の外壁は磁力線に影響を与えない材質（例えば樹脂材等）により構成される。
このようにパスケース１５に２枚のＩＣカードＡ、Ｂを重ねて収納する場合、２枚のＩＣカードＡ、Ｂの間に本発明のシールドシート１０を介在させ、一方から放射された磁力線が片面のＩＣカードだけに到達するように構成するものである。即ち、本発明のパスケース１５に２枚のＩＣカードＡ、Ｂを収納した場合、動作させる方のＩＣカードをアンテナ部９に近接する必要がある。これによりアンテナ部９に近接したＩＣカードＢとリーダライタ１００とが交信し、反対側に収納されたＩＣカードＡとは交信しない。
【００２１】
図５は本発明のシールドシートの長手方向に対する磁力線の動作を説明するための図である。図５（ａ）はシールドシート表面の図であり、図５（ｂ）は表面を上に向けた場合の磁力線の動作を説明する図であり、図５（ｃ）はシールドシート裏面の図であり、図５（ｄ）は裏面を上に向けた場合の磁力線の動作を説明する図である。同じ構成要素には図３と同じ参照番号を付して説明する。まず図５（ｂ）の動作について説明する。アンテナ部９から放射された磁力線ＡはＩＣカードＢ２００ｂに備えられた図示しないアンテナ２０（図２参照）を貫通してフェライト材１３を通過する。フェライト材１３は磁性体で構成されているので、殆ど磁力線Ａは減衰しないで通過する。しかし、フェライト材１３はシールド材１１より形状が小さいので、フェライト材１３を通過して端縁から放射するが、磁力線Ｂはシールド材１１により減衰されてシールド材１１の表側には到達しない。また、磁力線Ｃは直接シールド材１１により減衰されてシールド材１１の表側には到達しない。その結果、アンテナ部９から放射された磁力線ＡはＩＣカードＢ２００ｂに備えられた図示しないアンテナ２０のみを貫通するので、ＩＣカードＢ２００ｂとリーダライタ１００との交信が可能となる。ここで、フェライト材１３とシールド材１１の各端面との距離ｙが大きいほどシールド効果が高くなることが分かる。しかし、距離ｙを大きくするとシールド効果は高くなるが、シールドシート１０の形状が大きくなってしまうので、全体のバランスを考慮して決定される。
【００２２】
次に図５（ｄ）の動作について説明する。アンテナ部９から放射された磁力線ＡはＩＣカードＡ２００ａに備えられた図示しないアンテナ２０（図２参照）を貫通してフェライト材１２を通過する。フェライト材１２は磁性体で構成されているので、殆ど磁力線Ａは減衰しないで通過する。フェライト材１２はシールド材１１と同じ長さなので、殆どの磁力線はＩＣカードＡ２００ａに備えられた図示しないアンテナ２０（図２参照）を貫通してフェライト材１２を通過するが、フェライト材１２の端縁から放射した磁力線Ｂは、表面に回り込もうとするが、フェライト材１３はシールド材１１より短いためシールド材１１により減衰されてフェライト材１３には到達しない。その結果、アンテナ部９から放射された磁力線ＡはＩＣカードＡ２００ａに備えられた図示しないアンテナ２０のみを貫通するので、ＩＣカードＡ２００ａとリーダライタ１００との交信が可能となる。
【００２３】
図６は本発明のシールドシートの短手方向に対する磁力線の動作を説明するための図である。図６（ａ）はシールドシート表面の図であり、図６（ｂ）は表面を上に向けた場合の磁力線の動作を説明する図であり、図６（ｃ）はシールドシート裏面の図であり、図６（ｄ）は裏面を上に向けた場合の磁力線の動作を説明する図である。同じ構成要素には図３と同じ参照番号を付して説明する。まず図６（ｂ）の動作について説明する。アンテナ部９から放射された磁力線ＡはＩＣカードＢ２００ｂに備えられた図示しないアンテナ２０（図２参照）を貫通してフェライト材１３を通過する。フェライト材１３は磁性体で構成されているので、殆ど磁力線Ａは減衰しないで通過する。フェライト材１３はシールド材１１と同じ長さなので、殆どの磁力線はＩＣカードＢ２００ｂに備えられた図示しないアンテナ２０（図２参照）を貫通してフェライト材１３を通過するが、フェライト材１３の端縁から放射した磁力線Ｂは、表面に回り込もうとするが、フェライト材１２はシールド材１１より短いためシールド材１１により減衰されてフェライト材１２には到達しない。その結果、アンテナ部９から放射された磁力線ＡはＩＣカードＢ２００ｂに備えられた図示しないアンテナ２０のみを貫通するので、ＩＣカードＢ２００ｂとリーダライタ１００との交信が可能となる。
【００２４】
次に図６（ｄ）の動作について説明する。アンテナ部９から放射された磁力線ＡはＩＣカードＡ２００ａに備えられた図示しないアンテナ２０（図２参照）を貫通してフェライト材１２を通過する。フェライト材１２は磁性体で構成されているので、殆ど磁力線Ａは減衰しないで通過する。しかし、フェライト材１２はシールド材１１より形状が小さいので、フェライト材１２を通過して端縁から放射するが、磁力線Ｂはシールド材１１により減衰されてシールド材１１の表側には到達しない。また、磁力線Ｃは直接シールド材１１により減衰されてシールド材１１の表側には到達しない。その結果、アンテナ部９から放射された磁力線ＡはＩＣカードＡ２００ａに備えられた図示しないアンテナ２０のみを貫通するので、ＩＣカードＡ２００ａとリーダライタ１００との交信が可能となる。
【００２５】
以上の通り本発明によれば、フェライト材１２、１３の対向する２辺の端縁１２ａ、１２ｂ及び１３ａ、１３ｂがシールド材１１の対向する２辺の端縁１１ａ、１１ｂ及び１１ｃ、１１ｄの内側に収まるように夫々構成され、且つ、フェライト材１２、１３の対向する２辺の端縁１２ａ、１２ｂ及び１３ａ、１３ｂが互いに直交するように配置するので、表裏のフェライト材１２、１３の端縁の間にシールド材１１が必ず存在するので、各端縁から放射した不要な磁力線を遮蔽することができる。
また、フェライト材１２、１３とシールド材１１の各端縁同士が略等しい距離になるように互いに配置されるので、ＩＣカード２００の収納する向きを気にせずパスケース１５に収納することができる。
【００２６】
また、シールド材１１の材料としては銅、鉄、若しくはアルミニュウム又は反磁性材料を使用するので、比較的安価で且つ磁力線の減衰効果を高めることができる。
また、フェライト等の磁力線遮蔽層は透磁率が高く且つ磁力線の損失が少ない材質により構成するので、磁力線遮蔽効果を高めると共に、電波を効率よく供給することができる。
また、２枚のＩＣカードの間に本発明のシールドシート１０を介在させるので、同じパスケース１５に２枚のＩＣカードを重ねて収納しても読み取りエラーをなくすことができる。
また、本発明のパスケース１５に２枚のＩＣカードを収納した場合、動作させる方のＩＣカードをアンテナ部９に近接するので、使用するＩＣカードの向きを間違えることを防止できる。
本発明の第１の形態は、完全導体又は反磁性体からなる矩形の磁力線減衰板と、該磁力線減衰板の表裏面に夫々積層される磁性材料からなる磁力線遮蔽層と、を備え、一方の前記磁力線遮蔽層の一方の幅は前記磁力線減衰板の一方の幅よりも狭く且つ該磁力線減衰板の一方の幅内に納まり、前記一方の磁力線遮蔽層の他方の幅は前記磁力線減衰板の他方の幅と同等であり、他方の前記磁力線遮蔽層の一方の幅は前記磁力線減衰板の他方の幅よりも狭く且つ該磁力線減衰板の他方の幅内に納まり、前記他方の磁力線遮蔽層の他方の幅は該磁力線減衰板の一方の幅と同等であり、前記各磁力線遮蔽層同志が互いに直交するように配置されていることを特徴とする。
磁力線減衰板は、電磁誘導を遮断する機能を備えており、例えば銅板やアルミニュウム等の完全導体又は反磁性体により構成されている。また磁力線遮蔽層とは磁力線が減衰しない材料であり、フェライトコア等の磁性材料により構成されている。本発明で最も重要なことは、各磁力線遮蔽層の端縁が重ならないようにすることである。そこで本発明では、一方の磁力線遮蔽層の一方の幅は磁力線減衰板の一方の幅よりも狭く且つ磁力線減衰板の一方の幅内に納まり、一方の磁力線遮蔽層の他方の幅は磁力線減衰板の他方の幅と同等であり、他方の磁力線遮蔽層の一方の幅は磁力線減衰板の他方の幅よりも狭く且つ磁力線減衰板の他方の幅内に納まり、他方の磁力線遮蔽層の他方の幅は磁力線減衰板の一方の幅と同等であり、各磁力線遮蔽層同志が互いに直交するように配置する。これにより、表裏の各磁力線遮蔽層の端縁の間に磁力線減衰板が必ず存在するので、各磁力線遮蔽層の端縁から放射する不要な磁力線を遮蔽することができる。
本発明の第２の形態は、前記一方の磁力線遮蔽層の一方の幅の中心部と、前記磁力線減衰板の一方の幅の中心部とが一致し、前記他方の磁力線遮蔽層の他方の幅の中心部と、前記磁力線減衰板の他方の幅の中心部とが一致していることを特徴とする。
実験結果から、非接触型情報記録媒体のＩＣチップ周辺の磁力線遮蔽層の配置が異なると、シールド性能が異なることが明らかとなっている。従って、ＩＣチップがどのように配置されても磁力線遮蔽層の配置が同じになるようにする必要がある。そこで本発明では、一方の磁力線遮蔽層の一方の幅の中心部と、磁力線減衰板の一方の幅の中心部とが一致し、他方の磁力線遮蔽層の他方の幅の中心部と、磁力線減衰板の他方の幅の中心部とが一致するように磁力線遮蔽層を配置することである。これにより、非接触型情報記録媒体の収納する向きを気にせず収納することができる。
本発明の第３の形態は、前記磁力線減衰板は、銅、鉄若しくはアルミニュウムにより構成されていることを特徴とする。
磁力線は導体内を通過するときにジュール熱としてエネルギーが減衰する。その結果、磁力線が減衰する。従って、磁力線減衰板の材料としては反磁性材料である銅、鉄若しくはアルミニュウムが好ましい。これにより、シールドシートの目的に応じて材質を選定することができると共に、比較的安価で且つ磁力線の減衰効果を高めることができる。
本発明の第４の形態は、前記磁力線遮蔽層は透磁率が高く且つ磁力線の損失が少ない材質により構成されていることを特徴とする。
磁力線は磁性材料内を通過するときはほとんど減衰しない。この原理を応用して透磁率が高く且つ磁力線の損失が少ない材質を磁力線遮蔽層として使用する必要がある。これにより、磁力線遮蔽効果を高めると共に、電波を効率よく供給することができる。
本発明の第５の形態は、２枚の非接触型情報記録媒体を重ねて収納する収納ケースであって、第１の形態乃至第４の形態のいずれかに記載のシールドシートと、前記非接触型情報記録媒体を夫々１枚ずつ収納する２つの収納部と、を備え、前記２つの収納部は前記シールドシートにより分離されていることを特徴とする。
収納ケースに２枚の非接触型情報記録媒体を重ねて収納する場合、２枚の非接触型情報記録媒体の間に本発明のシールドシートを介在させ、一方から放射された磁力線が片面の非接触型情報記録媒体だけに到達するように構成する。これにより、同じ収納ケースに２枚の非接触型情報記録媒体を重ねて収納しても読み取りエラーをなくすことができる。
本発明の第６の形態は、第５の形態の収納ケースに収納した２枚の非接触型情報記録媒体に対する情報の読み書きをリーダライタにより行う場合、前記２枚の非接触型情報記録媒体の何れか一方の面を前記リーダライタのアンテナ部に近接することにより、当該面に対する情報の読み書きが行われることを特徴とする。
第５の形態の収納ケースに２枚の非接触型情報記録媒体を収納した場合、動作させる方の非接触型情報記録媒体をアンテナ部に近接することにより、アンテナ部に近接した非接触型情報記録媒体とリーダライタとが交信し、反対側に収納された非接触型情報記録媒体とは交信しないように動作させる。これにより、明らかに使用する非接触型情報記録媒体の向きを間違えることを防止することができる。
【図面の簡単な説明】
【００２７】
【図１】一般的なＩＣカード用リーダライタの構成を示すブロック図である。
【図２】ＩＣカードの構成を示すブロック図である。
【図３】（ａ）は表面図であり、（ｂ）はＡ視側面図、（ｃ）はＢ視側面図、（ｄ）は裏面図である。
【図４】（ａ）パスケースに収納した２枚のＩＣカードをＩＣカード読み取り部に近接した場合の動作を説明する図である。（ｂ）はパスケースを正面から見た図である。
【図５】（ａ）はシールドシート表面の図であり、（ｂ）は表面を上に向けた場合の磁力線の動作を説明する図であり、（ｃ）はシールドシート裏面の図であり、（ｄ）は裏面を上に向けた場合の磁力線の動作を説明する図である。
【図６】（ａ）はシールドシート表面の図であり、（ｂ）は表面を上に向けた場合の磁力線の動作を説明する図であり、（ｃ）はシールドシート裏面の図であり、（ｄ）は裏面を上に向けた場合の磁力線の動作を説明する図である。
【図７】従来のシールドシートを説明する図である。（ａ）は表面図、（ｂ）は側面図、（ｃ）は裏面図である。
【図８】従来のシールドシートを説明する図である。（ａ）は表面図、（ｂ）は側面図、（ｃ）は裏面図である。
【図９】不適切なフェライト材の配置による磁力線の動作を説明する図である。
【符号の説明】
【００２８】
９  アンテナ部、１２、１３  フェライト材、１０  シールドシート、１１  シールド材、１５  パスカード、１７、１８収納部、１００  リーダライタ、２００  ＩＣカード
【図１】
0005198051.tif 000002
【図２】
0005198051.tif 000003
【図３】
0005198051.tif 000004
【図４】
0005198051.tif 000005
【図５】
0005198051.tif 000006
【図６】
0005198051.tif 000007
【図７】
0005198051.tif 000008
【図８】
0005198051.tif 000009
【図９】
0005198051.tif 000010